(57)【特許請求の範囲】
【請求項１】
鏡体に装備された粗微動共軸焦準機構と、前記鏡体に対して水平方向に移動自在に装備されたステージとを備えた顕微鏡において、
粗微動共軸焦準機構を操作する一対の焦準ハンドルの一方を、他方よりも前記鏡体の側面より突出させるとともに、前記ステージを操作するステ−ジハンドルを前記焦準ハンドルの他方の近傍に配設したことを特徴とする顕微鏡。
【請求項２】
前記一対の焦準ハンドルの一方の後端の位置と、他方の先端の位置とを、前記鏡体の幅中心よりほぼ等距離に設定したことを特徴とする請求項１記載の顕微鏡。
【請求項３】
前記他方よりも前記鏡体の側面より突出させる一対の焦準ハンドルの一方は、選択的に着脱自在な操作部材を取着して構成されていることを特徴とする請求項１記載の顕微鏡。
【発明の詳細な説明】
【０００１】
【発明の属する技術分野】
本発明は、顕微鏡に係わり、詳しくは焦準ハンドルとステージハンドルとからなる操作部の配置に関する。
【０００２】
【従来の技術】
従来、顕微鏡の焦準ハンドルは、鏡体に対してほぼ左右対称に配置されている。これに比べ、ステージハンドルの配置は焦準ハンドルの位置に対し様々である。従来例１を図１２および図１３により説明する。鏡体１０２には、その対物レンズ保持部１０２ａの下面に、レボルバ１０４を介して対物レンズ１０５を装着し、上面に接眼レンズ１０６を備えた鏡筒１０７を装着している。また、鏡体１０２の前面部１０２ｂには、ステージ受け１０８を介してステージ１０９が上下動自在に装着されている。鏡体１０２の左右の側面には、一対の焦準ハンドル１０１Ａ、１０１Ｂが配設され、図示を省略した焦準機構に連結されている。焦準ハンドル１０１Ａ、１０１Ｂを操作することにより、前記焦準機構が作動し、ステージ１０９を上下動させ、ステージ１０９上にセットされた標本Ｓを対物レンズ１０５に対してピント合わせすることができる。
【０００３】
また、ステージ１０９は、水平の２方向たる矢印Ｘ方向と矢印Ｙ方向とに、ステージ１０９に連結されたステージハンドル１０３の操作により移動し、標本Ｓを視野の中に入れることができる。ここで、ステージハンドル１０３の位置は、焦準ハンドル１０１Ａ，１０１Ｂと同一高さに配置しており、水平面内では、焦準ハンドル１０１Ａとの干渉を回避するように、観察者Ｐの側に寄せられて、配置されている。
【０００４】
従来例２を図１４および図１５により説明する。基本構成は従来例１と同様であるが、焦準ハンドル１０１Ａ、１０１Ｂは、従来例１より観察者Ｐの側に接近して配置されている。そのため、焦準ハンドル１０１Ａとステージハンドル１０３との干渉を回避するため、観察者Ｐの左方向にステージ１０９を延設して、ステージハンドル１０３を配置している。
【０００５】
従来例３を図１６および図１７により説明する。基本構成は従来例２と同様であるが、ステージハンドル１０３を短くし、焦準ハンドル１０１Ａとの干渉を回避している。また、従来例２のように、ステージ１０９を観察者Ｐの左方向に延設する必要はなく、ステージハンドル１０３は、水平面上では従来例１と同様の位置にある。
【０００６】
【発明が解決しようとする課題】
しかるに、上記従来技術には、以下のような問題点があった。一般に顕微鏡の観察者は、片方の手で焦準ハンドルを、もう一方の手でステージハンドルを操作する場合が多い。即ち、片方の手のみで、焦準ハンドルとステージハンドルの双方を操作することは稀である。従来例１の場合、図１２に示すように、観察者Ｐは、左右の手の位置が、前後方向でずれた状態となり、結果として体が少し回転した姿勢となる。臨床検査等では、１日８時間、標本１００枚程度の長時間観察を行うので、この不自然な姿勢で長時間観察を続行すると、観察者が著しく疲労するという問題点があった。
【０００７】
また、従来例２の場合には、この場合も僅かな体の回転が生ずる上に、ステージに無用な張出しを設けなければならないという問題点がある。さらに、従来例３の場合には、体の回転はなくなるが、ステージハンドル側の手を高く、中空の位置で保持しなければならないため、これも疲労の要因となるという問題点があった。
【０００８】
本発明は、上記従来の問題点に鑑みてなされたもので、請求項１、２または３に係る発明の課題は、長時間観察しても、疲労が少なく、自然な姿勢を保つことができる操作部を備えた顕微鏡を提供することである。
【０００９】
【課題を解決するための手段】
上記課題を解決するために、請求項１、２または３に係る発明は、鏡体に装備された粗微動共軸焦準機構と、前記鏡体に対して上下動自在且つ水平方向に移動自在に装備されたステージとを備えた顕微鏡において、粗微動共軸焦準機構を操作する一対の焦準ハンドルの一方を、他方よりも前記鏡体の側面より突出させるとともに、前記ステージを操作するステ−ジハンドルを前記焦準ハンドルの他方の近傍に配設したことを特徴とする。
【００１０】
請求項１、２または３に係る発明の作用では、粗微動共軸焦準機構を操作する一対の焦準ハンドルの一方を、他方よりも鏡体の側面より突出させるとともに、ステージを操作するステ−ジハンドルを焦準ハンドルの他方の近傍に配設したことにより、焦準ハンドルとステージハンドルとが、鏡体に対して左右対称位置に配置される。
請求項２に係る発明の作用では、上記作用に加え、一対の焦準ハンドルの一方の後端の位置と、他方の先端の位置とを、鏡体の幅中心よりほぼ等距離に設定したことにより、焦準ハンドルの他方の先端に、ステージハンドルの配置スペースを確保する。
請求項３に係る発明の作用では、上記作用に加え、他方よりも鏡体の側面より突出させる一対の焦準ハンドルの一方は、選択的に着脱自在な操作部材を取着して構成されていることにより、左右いづれの勝手にも変更が容易となる。
【００１１】
【発明の実施の形態１】
図１〜図７は発明の実施の形態１を示し、図１は顕微鏡の平面図、図２は顕微鏡の左側面図、図３は図２の矢印Ａ−Ａから見た粗微動共軸焦準機構の平面断面図、図４は図２の矢印Ｂから見た正面図、図５は微粗動装置の拡大断面図、図６は図５の矢印Ｃ−Ｃから見た横断面図、図７は減速歯車機構の展開図である。
【００１２】
図１および図２において、鏡体３２には、その対物レンズ保持部３２ａの下面に、レボルバ３４を介して対物レンズ３５を装着し、上面に接眼レンズ３６を備えた鏡筒３７を装着している。また、鏡体３２の前面部３２ｂには、ステージ受け３８を介してステージ３９が上下動自在に装着されている。鏡体３２の左右の側面には、一対の左焦準ハンドル３１Ａ、右焦準ハンドル３１Ｂが配設され、図示を省略した粗微動共軸焦準機構に連結されている。左焦準ハンドル３１Ａまたは右焦準ハンドル３１Ｂを操作することにより、前記粗微動共軸焦準機構が作動し、ステージ３９を上下動させ、ステージ３９上にセットされた標本Ｓを対物レンズ３５に対してピント合わせすることができる。
【００１３】
また、ステージ３９は、水平の２方向たる矢印Ｘ方向と矢印Ｙ方向とに、ステージ３９に連結されたステージハンドル３３の操作により移動し、標本Ｓを視野の中に入れることができる。ここで、ステージハンドル３３の位置は、左焦準ハンドル３１Ａ、右焦準ハンドル３１Ｂと同一高さに配置しており、水平面内では、左焦準ハンドル３１Ａとの干渉を回避するように、左焦準ハンドル３１Ａは、鏡体３２の左側面３２ｃに埋設される構造となっている。
【００１４】
焦準ハンドル３１Ａ，３１Ｂを含む粗微動共軸焦準機構について説明する。図３および図４において、鏡体３２の左側面３２ｃには、焦準ハンドル３１Ａを収納できる大きさの座繰り穴３２ｅが穿設されている。焦準ハンドル３１Ｂは、従来の焦準ハンドルと同様に、鏡体３２の右側面３２ｄより突設されている。焦準ハンドル３１Ａ，３１Ｂの位置は、鏡体３２の幅Ｗの中心ｍを基準として、焦準ハンドル３１Ａの先端までの距離をａ、焦準ハンドル３１Ｂの根元までの距離をｂとすると、ａ＝ｂの関係にあり、かつａ＋ｂは幅Ｗよりもやや大きく設定されている。また、焦準ハンドル３１Ａは、鏡体３２の座繰り穴３２ｅ内に収納される構成になっている。なお「鏡体３２の幅Ｗの中心ｍ」とは、顕微鏡の観察光軸または接眼部の中心の意味を含むものである。また「ａ＝ｂ」は厳密なものではなく、ほぼ等距離であればよい。
【００１５】
一方、ステージハンドル３３の水平面上の位置は、焦準ハンドル３１Ａ，３１Ｂの軸心の延長上にあって、鏡体３２の幅Ｗの中心ｍを基準として、ステージハンドル３３の左端までの距離をｃ、焦準ハンドル３１Ｂの先端までの距離をｄとすると、ｃ＝ｄの関係になるように設定されている。また、ステージハンドル３３の高さについても、図４に示すように、焦準ハンドル３１Ａ，３１Ｂの軸心の延長上に合致して配設されている。なお、ステージハンドル３３は、ハンドル上部３３ａが図１におけるステージ３９を矢印Ｙ方向へ、ハンドル下部３３ｂが矢印Ｘ方向へ移動させるように構成されている。
【００１６】
また、焦準ハンドル３１Ａ，３１Ｂは、鏡体３２にピニオン軸受７を介して取着されている粗微動装置３０（詳細後述）に連結され、ピニオン軸受７の中央部が切り欠かれ、ピニオン８ａが露出している。ピニオン８ａは、鏡体３２に枢着された第１中間歯車２３および第２中間歯車２４を介してラック３と噛合している。第２中間歯車２４のピッチ円直径はピニオン８ａのピッチ円直径と同一に形成され、第１中間歯車２３のピッチ円直径は、ラック３とピニオン８ａとの距離により設定されるが、通常ピニオン８ａおよび第２中間歯車２４のピッチ円直径よりも大きく設定されている。なお、図３において、ピニオン８ａ、第１中間歯車２３および第２中間歯車２４は同一平面上に配置されているように描かれているが、実際は第１中間歯車２３のみ紙面より上または下に配設されている。
【００１７】
ラック３は、オス型レース２、メス型レース５、およびボール６からなる案内機構のオス型レース２に取着され、メス型レース５は鏡体３２に固着されている。ラック３の上方には、２点鎖線で示すステージ受け３８がオス型レース２に取着され、ラック３の上下動によりステージ受け３８に取着されたステージ３９が上下動するように構成されている。
【００１８】
つぎに、図５〜図７を用いて粗微動装置３０の詳細について説明する。図５において、鏡体３２にはピニオン軸受７が固着されている。ピニオン軸受７には、ピニオン軸８が回動自在に嵌装され、ピニオン軸８の中央部にはピニオン８ａを、右端には歯車８ｂを形成している。ピニオン軸８の内部孔には、連結軸９が横設され、連結軸９の左側には粗動ハンドル１０が軸受１０ａを介して固定されており、またその右側には粗動ハンドル１１が軸受１１ａを介してピニオン軸受７に対して回動自在に取着されている。さらに、連結軸９の内部孔には、微動軸１２が横設され、連結軸９および軸受１０ａに回動自在に組み込まれている。微動軸１２の右方には歯車１２ａが形成され、またその両端には、微動ハンドル１３、１４が固定されている。粗動ハンドル１０と微動ハンドル１３とにより、左焦準ハンドル３１Ａを構成し、粗動ハンドル１１と微動ハンドル１４とにより右焦準ハンドル３１Ｂを構成している。
【００１９】
ピニオン軸受７の右端には、摩擦調整リング１５が螺着され、バネ１６を介して軸受け１１ａの回転力を調整し得るように構成されている。粗動ハンドル１１には、歯車軸受１７、１８が一体的に固着され、粗動ハンドル１１と歯車軸受１８との間には、減速歯車１９、２０、２１がそれぞれ回動自在に組み込まれている。この減速歯車１９、２０、２１は、図６に示すように、大歯車１９ａ，２０ａ，２１ａと小歯車１９ｂ，２０ｂ，２１ｂとからなっていて、大歯車１９ａは、微動軸１２に形成された歯車１２ａと噛合し、小歯車１９ｂは大歯車２０ａと、小歯車２０ｂは大歯車２０ａと、小歯車２１ｂはピニオン軸８に形成された歯車８ｂのそれぞれ噛合するように構成されている。なお、これら各歯車の関係は、図７の展開図に示す通りである。また、微動ハンドル１３と軸受１０ａとの間には、微動軸１２に嵌装しつつバネ２２が装着されており、微動軸２２に一定の摩擦回転力を付与している。
【００２０】
つぎに、以上の構成の粗微動装置３０の作用を、まず、微動から説明する。微動ハンドル１３または１４を回動すると連結軸１２したがって歯車１２ａが回転する。この回転は歯車１２ａに噛合している大歯車１９ａから順次減速歯車１９−２０−２１へと減速伝達され、小歯車２１ｂと噛合している歯車８ｂを通じてピニオン軸８つまりピニオン８ａを回転させるので、第１中間歯車２３、第２中間歯車２４、ラック３、オス型レース２およびステージ受け３８を介して、ステージ３９を微小量だけ上下動させる。
【００２１】
この場合粗動ハンドル１１に対しても回転させようとする力が働くが、摩擦調整リング１５によって軸受１１ａにはステージ部の重量に打ち勝つだけの摩擦力が与えられているので、粗動ハンドル１１は回転せずにステージ３９は上下動する。また、ステージ部（ラック３、オス型レース２、ステージ受け３８およびステージ３９）の重量がピニオン軸８に回転力として作用しているので、各減速歯車に対しても回転力が伝わっていて、しかも微動軸１２にバネ２２によって与えられた摩擦力でこの回転力が止められるように構成されているので各歯車は片側に押しつけられ、バックラッシュのない状態で噛合し、微動ハンドルの僅かな回動もステージ部の上下動として正確に伝達される。
【００２２】
つぎに、粗動について説明する。粗動ハンドル１０または１１を回動すると、各減速歯車にも自転しようとする力が作用するが、力は縮小されて伝達され、また、微動軸１２には一定の摩擦力が与えられてあるので、微動軸１２が増速されて回動することはなく、粗動ハンドル１０および１１とピニオン軸８は一体となって回動し、ピニオン８ａ、第１中間歯車２３、第２中間歯車２４、ラック３、オス型レース２およびステージ受け３８を介して、ステージ３９の粗動をおこなう。この粗動の場合においても、ステージ部の重量が常に回転力として各歯車に作用しているので、バックラッシュのない正確な調整が可能である。
【００２３】
本発明の実施の形態１によれば、両手で操作する焦準ハンドルとステージハンドルとを鏡体に対して左右対称で、かつ同一高さに配置したので、従来の顕微鏡に比べ、観察者は、体を回転したりせず、自然な姿勢で観察することができ、長時間観察での疲労を少なくすることができる。さらに、本発明の実施の形態１での微動による焦準操作の場合、ステージハンドル側の微動ハンドルを操作することもできる。
【００２４】
本発明の実施の形態１では、左側にステージハンドルを配設し、左焦準ハンドルを鏡体内へ収容し、右焦準ハンドルを鏡体より突出させる構成としたが、勝手を替えて、右側にステージハンドルを配設し、右焦準ハンドルを鏡体内へ収容し、左焦準ハンドルを鏡体より突出させる構成としてもよい。また、ピニオンとラックとの間には２つの中間歯車により、焦準操作の伝達を行っているが、ピニオンとラックとの距離により適宜中間歯車の数を増減してもよい。さらに、図３において、左焦準ハンドル３１Ａ、右焦準ハンドル３１Ｂおよびステージハンドル３３の位置は、ステージ３９の矢印Ｙ方向のストロークの概略中心に設定したが、頻繁に使用される範囲（例えば、２枚検鏡ステージの１枚検鏡範囲）の中心（図３の破線で示す円の位置）に設定してもよく、また、図３の破線で示す円と実線で示す円の中間の位置に設定してもよい。
【００２５】
【発明の実施の形態２】
図８〜図９は発明の実施の形態２を示し、図８はステージハンドルを左に配設した場合の粗微動共軸焦準機構の平面断面図、図９はステージハンドルを右に配設した場合の粗微動共軸焦準機構の平面断面図である。本発明の実施の形態２の顕微鏡の基本構成は、発明の実施の形態１と同様であるが、鏡体の双方の側面に座繰り孔を設け、左右の勝手を違えても、粗微動装置を共用できる点に特徴がある。従って、発明の実施の形態１と同一の部材を用いているので、異なる部分のみ説明し、同一の部材には同一の符号を付し説明を省略する。
【００２６】
図８において、鏡体４２の両側面４２ｃ，４２ｄには、左焦準ハンドル４１Ａ、右焦準ハンドル４１Ｂを収容できる程度の座繰り孔４２ｅ、４２ｆが穿設されている。ステージハンドル３３が左側に配設される場合には、左焦準ハンドル４１Ａを座繰り孔４２ｅに収容し、右焦準ハンドル４１Ｂを右側面４２ｄより突出させるように配設し、右焦準ハンドル４１Ｂの操作が容易にできるようにする。また、図９に示すように、ステージハンドル３３が右側に配設される場合には、右焦準ハンドル４１Ｂを座繰り孔４２ｆに収容し、左焦準ハンドル４１Ａを左側面４２ｃより突出させるように配設し、左焦準ハンドル４１Ａの操作が容易にできるようにする。
【００２７】
また、左右の勝手を変更しても、粗微動装置４０を共用するために、ピニオン４８ａの歯幅を長く設定し、いずれの勝手を選定しても、粗微動装置４０を左右に移動して固着し、ピニオン４８ａと第１中間歯車２３との噛合ができるようにしている。また、これに伴い、粗微動装置４０を鏡体４２に固着するためのピニオン軸受４７は、ピニオン４８ａの歯幅よりやや広い切欠きを設けている。
【００２８】
本発明の実施の形態２によれば、発明の実施の形態１の効果に加え、左右いづれのステージハンドルとの組合せにも、同一の鏡体と粗微動装置で対応することができ、部材の種類を減少させ、生産管理を容易にする。
【００２９】
【発明の実施の形態３】
図１０〜図１１は発明の実施の形態３を示し、図１０は粗微動共軸焦準機構の平面断面図、図１１は粗微動共軸焦準機構の変形例の平面断面図である。本発明の実施の形態３の顕微鏡の基本構成は、発明の実施の形態１と同様であるが、鏡体の双方の側面に座繰り孔を設け、焦準ハンドルに操作部材を装着して左右の勝手を自由に変更できる点に特徴がある。従って、発明の実施の形態１と同一の部材を用いているので、異なる部分のみ説明し、同一の部材には同一の符号を付し説明を省略する。
【００３０】
図１０において、鏡体５２のの両側面５２ｃ，５２ｄには、左焦準ハンドル５１Ａ、右焦準ハンドル５１Ｂを収容できる程度の座繰り孔５２ｅ、５２ｆが穿設されている。ステージハンドル３３の配置に関係なく、左焦準ハンドル５１Ａを座繰り孔５２ｅに収容し、右焦準ハンドル５１Ｂを座繰り孔５２ｆに収容できるように、粗微動装置５０の長さを設定する。図１０に示すように、左側にステージハンドル３３を配置する場合には、右焦準ハンドル５１Ｂに粗動用操作部材５３と微動用操作部材５４とを装着する。焦準操作は、この粗動用操作部材５３と微動用操作部材５４とを用いて行う。なお、粗動用操作部材５３と微動用操作部材５４とのうち片方のみを使用してもよい。
【００３１】
一般に、焦準ハンドルの外周には、回動操作をし易くするために、滑り止めにローレットを刻設している場合が多い。従って、粗動用操作部材５３と微動用操作部材５４とを右焦準ハンドル５１Ｂの外周に装着する場合は、粗動用操作部材５３および微動用操作部材５４の内形を、右焦準ハンドル５１Ｂの外周のローレット形状に合致するように形成し、これを回り止めとして使用する。また、粗動用操作部材５３および微動用操作部材５４をゴム等の弾性材料で形成し、内径を右焦準ハンドル５１Ｂの外径よりやや小さく設定して、弾性を利用して嵌着させる方式を採用してもよい。
【００３２】
一方、右側にステージハンドル３３を配置する場合には、左焦準ハンドル５１Ａに粗動用操作部材５３と微動用操作部材５４とを装着する。左焦準ハンドル５１Ａの構造も、右焦準ハンドル５１Ｂと同一なので、上記と同様の手段により、粗動用操作部材５３と微動用操作部材５４とを装着することができる。
【００３３】
本発明の実施の形態３によれば、発明の実施の形態２の効果に加え、左右の勝手を変更しても粗微動装置を移動させる必要はないので、ステージハンドルの配置への対応が極めて容易となる。
【００３４】
なお、発明の実施の形態１〜３ともに、鏡体に座繰り孔を穿設する構成としたが、鏡体自体が細く形成されたものであるならば、図１１に示すように、鏡体６２に座繰り孔を設けることなく、発明の実施の形態３と同様の構成にすることができる。また、発明の実施の形態１〜３ともに、ステージを上下動させる焦準機構の顕微鏡を例に説明しているが、対物レンズを、上下動させる焦準機構を有する顕微鏡であっても本発明を適用することができる。
【００３５】
【発明の効果】
請求項１、２または３に係る発明によれば、焦準ハンドルとステージハンドルとが、鏡体に対して左右対称位置に配置されているので、長時間観察しても、疲労が少なく、自然な姿勢を保つことができる操作部を備えた顕微鏡を提供することができる。
請求項２に係る発明によれば、上記効果に加え、焦準ハンドルの他方の先端に、ステージハンドルの配置スペースを確保するので、顕微鏡をコンパクトにするこができる。
請求項３に係る発明によれば、上記効果に加え、左右いづれの勝手にも変更が容易となるので、何人も顕微鏡を使いやすい形態で使用することができる。
【図面の簡単な説明】
【図１】発明の実施の形態１の顕微鏡の平面図である。
【図２】発明の実施の形態１の顕微鏡の左側面図である。
【図３】発明の実施の形態１の図２の矢印Ａ−Ａから見た粗微動共軸焦準機構の平面断面図である。
【図４】発明の実施の形態１の図２の矢印Ｂから見た正面図である。
【図５】発明の実施の形態１の微粗動装置の拡大断面図である。
【図６】発明の実施の形態１の図５の矢印Ｃ−Ｃから見た横断面図である。
【図７】発明の実施の形態１の減速歯車機構の展開図である。
【図８】発明の実施の形態２のステージハンドルを左に配設した場合の粗微動共軸焦準機構の平面断面図である。
【図９】発明の実施の形態２のステージハンドルを右に配設した場合の粗微動共軸焦準機構の平面断面図である。
【図１０】発明の実施の形態３の粗微動共軸焦準機構の平面断面図である。
【図１１】発明の実施の形態３の粗微動共軸焦準機構の変形例の平面断面図である。
【図１２】従来例１の顕微鏡の平面図である。
【図１３】従来例１の顕微鏡の左側面図である。
【図１４】従来例２の顕微鏡の平面図である。
【図１５】従来例２の顕微鏡の左側面図である。
【図１６】従来例３の顕微鏡の平面図である。
【図１７】従来例３の顕微鏡の左側面図である。
【符号の説明】
３１Ａ  左焦準ハンドル
３１Ｂ  右焦準ハンドル
３２  鏡体
３３  ステージハンドル
３９  ステージ
【図１】
0003735161.tif 000002
【図２】
0003735161.tif 000003
【図３】
0003735161.tif 000004
【図４】
0003735161.tif 000005
【図５】
0003735161.tif 000006
【図６】
0003735161.tif 000007
【図７】
0003735161.tif 000008
【図８】
0003735161.tif 000009
【図９】
0003735161.tif 000010
【図１０】
0003735161.tif 000011
【図１１】
0003735161.tif 000012
【図１２】
0003735161.tif 000013
【図１３】
0003735161.tif 000014
【図１４】
0003735161.tif 000015
【図１５】
0003735161.tif 000016
【図１６】
0003735161.tif 000017
【図１７】
0003735161.tif 000018